(57)【要約】  表面が絶縁処理された金属筐体部を電波放出部として共用する場合における通信性能向上を図る。  本技術に係る電子機器は、表面が絶縁処理され、筐体の少なくとも一部を構成する金属筐体部と、金属筐体部の内側に位置され、アンテナの給電制御を行う電気回路が形成されたアンテナ基板と、金属筐体部に接する金属板を有し、アンテナ基板と金属筐体部との間の電気的結合を金属板を介して容量結合により行う電気結合部とを備える。
2018116599.tif 000002
【特許請求の範囲】
【請求項１】
表面が絶縁処理され、筐体の少なくとも一部を構成する金属筐体部と、
前記金属筐体部の内側に位置され、アンテナの給電制御を行う電気回路が形成されたアンテナ基板と、
前記金属筐体部に接する金属板を有し、前記アンテナ基板と前記金属筐体部との間の電気的結合を前記金属板を介して容量結合により行う電気結合部と、を備える
電子機器。
【請求項２】
前記電気結合部は、
前記アンテナ基板と前記金属板とを電気的に接続する接続端子を有し、
前記金属板は前記金属筐体部に固着され、前記接続端子は前記アンテナ基板に固着され前記金属板に非固着とされている
請求項１に記載の電子機器。
【請求項３】
前記接続端子は、前記金属板に近付く方向への付勢力を有している
請求項２に記載の電子機器。
【請求項４】
前記アンテナ基板と電気的に接続されたアンテナを備え、
前記電気結合部は、
前記金属板を介した容量結合により前記アンテナのグラウンド結合を行う
請求項１に記載の電子機器。
【請求項５】
撮像装置としての電子機器とされ、
前記金属筐体部は、
シャッターボタンが配置され使用者の手によって把持されるグリップ部の内部フレームを構成するグリップフレーム部を有し、
前記アンテナ基板と前記電気結合部が前記グリップフレーム部の内側に位置されている
請求項１に記載の電子機器。
【請求項６】
前記グリップフレーム部は、
撮像方向側の端部が撮像方向側に突出された凸部として形成されており、
前記アンテナ基板は、
前記グリップフレーム部における前記凸部の内側に位置されている
請求項５に記載の電子機器。
【請求項７】
撮像装置としての電子機器とされ、
前記アンテナが撮像光軸よりも下側に位置されている
請求項４に記載の電子機器。
【請求項８】
前記アンテナ基板において、
前記アンテナとの電気的な接続を行う接続端子が、前記金属板との電気的な接続を行う接続端子よりも下側に位置されている
請求項４に記載の電子機器。
【請求項９】
前記金属筐体部には、
前記金属筐体部の内側空間と外側空間とを連通する開口部が形成され、
前記アンテナは、
前記金属筐体部の外側から前記開口部を覆う位置に配置されている
請求項４に記載の電子機器。
【請求項１０】
前記アンテナは、
前記開口部を前記金属筐体部の外側から覆い前記金属筐体部により支持された絶縁性部材に対して取り付けられている
請求項９に記載の電子機器。
【請求項１１】
前記アンテナ基板は、
基板厚み方向に突出された突出接続端子部を有し、
前記突出接続端子部を介して前記アンテナへの給電が行われる
請求項４に記載の電子機器。
【発明の詳細な説明】
【技術分野】
【０００１】
本技術は、例えばデジタルカメラ装置等の無線通信機能を有した電子機器に関し、特には、筐体の少なくとも一部に表面が絶縁処理された金属筐体部を有する電子機器の技術分野に関する。
【背景技術】
【０００２】
下記特許文献１には、無線通信機能を有するデジタルカメラ装置としての撮像装置が開示されている。
また、下記特許文献２には、撮像装置の筐体の少なくとも一部を例えばマグネシウム合金等による金属で構成することが開示されている。
【先行技術文献】
【特許文献】
【０００３】
【特許文献１】特開２０１５−１２６４７４号公報
【特許文献２】特開２０１０−２４３６３４号公報
【発明の概要】
【発明が解決しようとする課題】
【０００４】
ここで、撮像装置等の電子機器において、筐体の少なくとも一部が金属筐体部として構成されている場合には、該金属筐体部をアンテナのグラウンド、或いはアンテナ自体として用いる等、該金属筐体部を無線通信の電波放出部としても共用することが考えられる。【０００５】
しかしながら、撮像装置等の各種電子機器の筐体に金属を用いる場合には、金属部分に対し例えば防腐や塗装のための表面処理として化成処理が施される等、表面が絶縁処理されることが一般的である。このため、金属部分に如何にして給電を行うかが課題とされる。【０００６】
本技術は上記の事情に鑑み為されたものであり、表面が絶縁処理された金属筐体部を電波放出部として共用する場合における通信性能向上を図ることを目的とする。
【課題を解決するための手段】
【０００７】
本技術に係る電子機器は、表面が絶縁処理され、筐体の少なくとも一部を構成する金属筐体部と、前記金属筐体部の内側に位置され、アンテナの給電制御を行う電気回路が形成されたアンテナ基板と、前記金属筐体部に接する金属板を有し、前記アンテナ基板と前記金属筐体部との間の電気的結合を前記金属板を介して容量結合により行う電気結合部と、を備えるものである。【０００８】
これにより、絶縁処理された金属筐体部であっても容量結合によりアンテナ基板との間の電気的結合を確保することが可能とされる。このとき、金属筐体部に接する金属板を介して容量結合を行っていることで、結合容量を大きくし易くなり、アンテナを用いた無線通信について通信性能の向上を図ることができる。【０００９】
上記した本技術に係る電子機器においては、前記電気結合部は、前記アンテナ基板と前記金属板とを電気的に接続する接続端子を有し、前記金属板は前記金属筐体部に固着され、前記接続端子は前記アンテナ基板に固着され前記金属板に非固着とされていることが望ましい。【００１０】
上記のように金属板が金属筐体部に固着され、接続端子がアンテナ基板に固着され金属板に非固着とされていることで、電子機器の組み立て作業時において金属板が固着された状態のアンテナ基板をハンドリングする必要がなくなる。【００１１】
上記した本技術に係る電子機器においては、前記接続端子は、前記金属板に近付く方向への付勢力を有していることが望ましい。【００１２】
これにより、アンテナ基板側と金属板側との電気的接続の確実性が増す。【００１３】
上記した本技術に係る電子機器においては、前記アンテナ基板と電気的に接続されたアンテナを備え、前記電気結合部は、前記金属板を介した容量結合により前記アンテナのグラウンド結合を行うことが望ましい。【００１４】
これにより、金属筐体部をアンテナのグラウンドとして使用可能となり、広いグランドを確保することが可能とされる。【００１５】
上記した本技術に係る電子機器においては、撮像装置としての電子機器とされ、前記金属筐体部は、シャッターボタンが配置され使用者の手によって把持されるグリップ部の内部フレームを構成するグリップフレーム部を有し、前記アンテナ基板と前記電気結合部が前記グリップフレーム部の内側に位置されていることが望ましい。【００１６】
上記のようなグリップフレーム部の内側空間は比較的広く、アンテナ基板や電気結合部の配置自由度が高い。【００１７】
上記した本技術に係る電子機器においては、前記グリップフレーム部は、撮像方向側の端部が撮像方向側に突出された凸部として形成されており、前記アンテナ基板は、前記グリップフレーム部における前記凸部の内側に位置されていることが望ましい。【００１８】
撮像装置においては、撮像画像についての各種画像処理や機器の全体制御を行うための電気回路を有するメイン基板が、筐体内において撮像方向とは逆側の端部付近に位置されるのが一般的とされる（撮像素子が筐体内において撮像方向とは逆側の端部付近に位置されることが一般的であるため）。上記のようにアンテナ基板をグリップフレーム部における撮像方向側に突出された凸部の内側に位置させることで、少なくとも撮像方向に平行な方向において、アンテナ基板はメイン基板から離隔される。【００１９】
上記した本技術に係る電子機器においては、撮像装置としての電子機器とされ、前記アンテナが撮像光軸よりも下側に位置されていることが望ましい。【００２０】
これにより、アンテナから水平方向以下の方向に放出される電波がレンズ鏡筒（金属鏡筒）によって反射される度合いが低減される。【００２１】
上記した本技術に係る電子機器においては、前記アンテナ基板において、前記アンテナとの電気的な接続を行う接続端子が、前記金属板との電気的な接続を行う接続端子よりも下側に位置されていることが望ましい。【００２２】
これにより、アンテナ基板からアンテナへの給電線を下方側に配線する場合において、該給電線の長さを短くすることが可能とされる。【００２３】
上記した本技術に係る電子機器においては、前記金属筐体部には、前記金属筐体部の内側空間と外側空間とを連通する開口部が形成され、前記アンテナは、前記金属筐体部の外側から前記開口部を覆う位置に配置されていることが望ましい。【００２４】
これにより、アンテナの背後に金属筐体部が非形成とされた部分が設けられ、アンテナが金属筐体部（アンテナのグラウンド）から受ける電気的な影響が低減される。【００２５】
上記した本技術に係る電子機器においては、前記アンテナは、前記開口部を前記金属筐体部の外側から覆い前記金属筐体部により支持された絶縁性部材に対して取り付けられていることが望ましい。【００２６】
これにより、アンテナを金属筐体部の外側から開口部を覆う位置に固定させるにあたり、アンテナと金属筐体部とが直接的に接することの防止が図られる。【００２７】
上記した本技術に係る電子機器においては、前記アンテナ基板は、基板厚み方向に突出された突出接続端子部を有し、前記突出接続端子部を介して前記アンテナへの給電が行われることが望ましい。【００２８】
これにより、アンテナ基板の金属筐体部内側における配置位置にとらわれず、アンテナを金属筐体部で覆われない位置に配置させ易くなる。
【発明の効果】
【００２９】
本技術によれば、表面が絶縁処理された金属筐体部を電波放出部として共用する場合における通信性能向上を図ることができる。
なお、ここに記載された効果は必ずしも限定されるものではなく、本開示中に記載されたいずれかの効果であってもよい。
【図面の簡単な説明】
【００３０】
【図１】本技術に係る実施形態としての電子機器の正面図である。
【図２】本技術に係る実施形態としての電子機器の右側面図である。
【図３】電子機器が備える筐体についての説明図である。
【図４】ラバー部材を取り除いた状態での電子機器のグリップ部の拡大正面図である。
【図５】ラバー部材を取り除いた状態での電子機器のグリップ部の右側面図である。
【図６】図４に示すＡ−Ａ’線よりも右側の部分を取り除いたカットモデルの右側面図である。
【図７】図６において破線で囲った部分の拡大図である。
【図８】図７に示すカットモデルにおいて絶縁性部材とラバー部材とが取り付けられた状態を表した図である。
【図９】アンテナを撮像光軸よりも下側に位置させる利点についての図である。
【発明を実施するための形態】
【００３１】
以下、添付図面を参照し、本技術に係る実施形態を次の順序で説明する。
＜１．電子機器の構成＞
＜２．実施形態のまとめ＞
＜３．本技術＞
【００３２】
＜１．電子機器の構成＞
図１、図２は、例えばデジタルカメラ装置としての撮像装置とされた実施形態としての電子機器１の外観構成を説明するための図であり、それぞれ電子機器１を正面図、右側面図により表している。
ここで、本明細書においては、撮像装置の前後上下左右の各方向を次のように定義する。
前方向は、撮像方向（撮像レンズの光軸に平行な方向であって被写体に近づく側の方向）に一致する方向であり、後方向は、前方向とは逆側の方向である。
上下、左右の各方向は、撮像装置により得られる撮像画像における垂直方向、水平方向（水平ライン方向）を基準に定まる方向である。具体的には、撮像画像に映し出された被写体の天地方向、水平方向と、撮像画像の垂直方向、水平方向とが一致するように撮像装置の姿勢がとられたときの上下、左右の各方向である。
本例では、左、右の各方向については、使用者の視点を基準に定義している。すなわち、撮像装置を後方から見たときの左方向、右方向とそれぞれ一致する方向である。
図１では、紙面手前方向、奥方向がそれぞれ前方向、後方向に一致し、紙面上方向、下方向がそれぞれ上方向、下方向に一致し、紙面左方向、右方向がそれぞれ右方向、左方向に一致している。
【００３３】
本例の電子機器１は、レンズ交換式ミラーレス一眼タイプのデジタルカメラ装置として構成され、内部に例えばＣＣＤ（Charge Coupled Devices）センサやＣＭＯＳ（Complementary Metal-Oxide-Semiconductor）センサ等による撮像素子２を有している。
電子機器１には、正面視において略中央に交換レンズを着脱自在に取り付けるためのレンズ取付部３が設けられ、レンズ取付部３の内周には、正面視において略円形の光学開口４が形成され、光学開口４の後方に撮像素子２が撮像面を前方に向けられた状態で配置されている。
図１には、光学開口４を介して前後方向に延在する撮像光軸Ａｘを黒丸により表しているが、光学開口４、撮像素子２の中心は、撮像光軸Ａｘに略一致している。
【００３４】
本例の電子機器１は、外形形状として、正面視において横長の形状を有している。また、交換レンズを非取付の状態において、前後方向における最大長は、左右方向における最大長よりも短くされている。
【００３５】
電子機器１の右側部は、使用者の手によって把持されるグリップ部５として形成されている。本例におけるグリップ部５は、前端部が前方向側に突出され、該突出された部分が突出部６として形成されている（特に図２参照）。突出部６は、電子機器１において最も前方側に突出された部分とされている。
【００３６】
突出部６には、前端部における上下方向の中心よりもやや上側となる部分に後方側への凹みが与えられ、該凹みが与えられた部分が指掛け部６ａとして形成されている（特に図２参照）。指掛け部６ａが形成されていることで、使用者による電子機器１のホールド性向上が図られる。
【００３７】
グリップ部５は、上部にシャッターボタン７が配置されている。具体的に、本例においてシャッターボタン７は突出部６の上部に位置されている。
【００３８】
また、グリップ部５は、突出部６の少なくとも指掛け部６ａを含む一部の表面部材として外界に表出されたラバー部材（樹脂部材）８を有している。ラバー部材８には、表面にシボ加工等により微細な凹凸が与えられている。これにより、使用者による電子機器１のホールド性向上が図られている。
【００３９】
さらに、グリップ部５は、右側面における突出部６よりも後方となる部分に、開閉自在とされた蓋部９を有している（図２参照）。本例の蓋部９は、電子機器１の右側から見た形状が、縦長の略長方形状とされている。蓋部９の奥側（電子機器１の中心側）には、例えばＵＳＢ（Universal Serial Bus）端子やＨＤＭＩ（High Definition Multimedia Interface）端子等の外部機器と有線接続を行うための各種端子類やメモリカード記憶媒体等の所定の記憶媒体を装填可能な装填部等が配置されており、使用者は蓋部９を開けることでこれら端子類や装填部等を表出させることができる。
なお、本例では蓋部９の表面にはラバー部材８と同様に凹凸が与えられたラバーが形成されている。また、グリップ部５の右側面においては、略ロの字状のラバー部材１０によって蓋部９の周囲が覆われている。
【００４０】
図３は、電子機器１が備える筐体についての説明図であり、該筐体が備える前側金属筐体部１１、上側金属筐体部１２、内側金属筐体部１３、及び後側金属筐体部１４の概略構成を分解斜視図により表している。
電子機器１の筐体は、前側金属筐体部１１、上側金属筐体部１２、内側金属筐体部１３、及び後側金属筐体部１４としての複数の金属筐体部（金属フレーム）が組み合わされて構成されている。本例では、これら金属筐体部１１〜１４は、例えばマグネシウム合金で構成されている。
なお、少なくとも前側金属筐体部１１、上側金属筐体部１２については、組み立て後の電子機器１において、表面の少なくとも一部が外界に表出されている（図１、２参照）。
ここで、電子機器１の筐体を構成する全ての筐体部を金属製とすることは必須ではなく、例えば一部を樹脂などの金属以外の材料で構成することもできる。
【００４１】
前側金属筐体部１１、上側金属筐体部１２、内側金属筐体部１３、及び後側金属筐体部１４には、化成処理等の表面処理が施され、それぞれの表面は絶縁処理されている。
【００４２】
前側金属筐体部１１は、右側部が、グリップ部５の内部フレームを構成するグリップフレーム部１５として形成されている。前述のように、本例のグリップ部５は前方向側に突出された突出部６を有しているため、これに応じてグリップフレーム部１５としても前端部が前方方向に突出され、該突出された部分が凸部１５ａとして形成されている。また、グリップフレーム部１５には、凸部１５ａにおいて、前述した指掛け部６ａに対応して後側に凹んだ部分が形成され、該凹んだ部分が凹部１５ｂとして形成されている。
【００４３】
凸部１５ａには、前端部の下部において、後述する絶縁性部材２１を配置するための切欠部１６が形成されている。切欠部１６は、凸部１５ａの一部が後側に凹んだ部分として形成されている。
切欠部１６には、凸部１５ａの内側空間と外側空間とを連通する開口部１６ａが形成されている。本例では、開口部１６ａの開口面は略矩形の形状とされている。
【００４４】
図４及び図５は、グリップ部５におけるラバー部材８を取り除いた状態での電子機器１の外観構成を説明するための図であり、図４はグリップ部５の拡大正面図、図５は右側面図である。なお、図５では、蓋部９、及び蓋部９の左方向側に配置される上述した端子類や装填部、及びラバー部材１０を取り除いた状態を示している。
【００４５】
本例の電子機器１においては、外部機器との間で所定の通信規格に従った無線通信を行うためのアンテナ２０が、グリップ部５の下部に設けられる（図４参照）。アンテナ２０は、例えば無線ＬＡＮ（Local Area Network）の通信規格に従った無線通信用のアンテナとされている。
本例において、アンテナ２０は板状の部材として形成されており、正面視において横長の略長方形状を有している。
【００４６】
本例におけるアンテナ２０は、前述した切欠部１６において凸部１５ａにより支持される絶縁性部材２１に対して取り付けられる。
絶縁性部材２１は、例えば樹脂部材とされ、前端部における上下左右の略中央にアンテナ２０を取り付けるための凹部２１ａ（後方側への凹み部）が形成され、アンテナ２０は、凹部２１ａにおいて位置決め及び勘合されて絶縁性部材２１に取り付けられる。
絶縁性部材２１は、切欠部１６において、凹部２１ａを前側に向け開口部１６ａを前側から覆った状態で凸部１５ａに対して取り付けられている。すなわち、絶縁性部材２１は、凸部１５ａ（前側金属筐体部１１）に支持されている。本例では、絶縁性部材２１の凸部１５ａへの取り付けはネジ止め等により着脱自在に行われている。
【００４７】
図４では、切欠部１６における開口部１６ａの位置を破線により示しているが、絶縁性部材２１に取り付けられたアンテナ２０は、開口部１６ａを前側から覆う位置に配置されている。
これにより、アンテナ２０の背後に金属筐体部が非形成とされた部分が設けられる。
【００４８】
アンテナ２０を介して送出すべき信号は、電子機器１の筐体内側に配置されたメイン基板２２より出力される。図５では、メイン基板２２の位置を破線により模式的に表している。
メイン基板２２は、撮像画像についての各種画像処理や電子機器１の全体制御を行うための電気回路を有した基板とされている。本例の電子機器１は、メイン基板２２における電気回路により、撮像画像に基づく静止画像ファイル、動画像ファイルを生成可能とされている。
【００４９】
メイン基板２２は、電子機器１の筐体内側における後端部において、厚み方向が前後方向に略一致する向きに配置されている。本例において、メイン基板２２は、正面視において横長の形状とされ、右側の端部がグリップ部５内部に位置されている。
【００５０】
図６は、グリップ部５内部の構成を説明するための図として、図４に示すＡ−Ａ’線よりも右側の部分を取り除いた電子機器１のカットモデルを右側から見た様子を示している。
図７は、図６において破線で囲った部分の拡大図である。
なお、図６及び図７においても、ラバー部材８は取り外された状態とされ、さらに図６及び図７では、説明の便宜上、絶縁性部材２１の図示を省略している。
【００５１】
グリップ部５の内部には、前後方向の略中央において、電子機器１の動作電源である例えば二次電池等の電池を収納するための電池収納ケース２３が配置されている（図６参照）。電池収納ケース２３は、グリップフレーム部１５の内側空間内に少なくとも一部が位置するように配置されている。
【００５２】
凸部１５ａの前端部内面には、薄板状（シート状）とされた金属板２４が取り付けられている。金属板２４は、例えば銅箔シートとされ、導電性を有する。本例において金属板２４は、その全面が凸部１５ａ（前側金属筐体部１１）の内面に接して該内面に固着されている。
金属板２４は、上下方向においては、凹部１５ｂと切欠部１６との間に位置されている。先の図４では、金属板２４の位置を破線により表しているが、本例において金属板２４は、左右方向においてアンテナ２０よりも電子機器１の中央寄りに位置されている。
【００５３】
グリップフレーム部１５の凸部１５ａの内側であって、電池収納ケース２３よりも前側となる位置には、アンテナ基板２５が配置されている。アンテナ基板２５は、厚み方向が前後方向と略一致する向きに配置され、上下方向における位置は、下側の一部のみが開口部１６ａの形成領域に重複する位置とされている。アンテナ基板２５の上部は、少なくとも一部が金属板２４と対向している。
【００５４】
アンテナ基板２５は、アンテナについての給電制御を行う電気回路が形成された基板であり、メイン基板２２との間で通信信号をやりとりするための通信ケーブル２６が電気的に接続されている。本例では、通信ケーブル２６には同軸ケーブルが用いられている。
【００５５】
アンテナ基板２５には、上記電気回路がアンテナ２０のグラウンド接続を行うためのグラウンド接続端子２７を有したコンタクト部２８が設けられ、グラウンド接続端子２７の先端部（アンテナ基板２４とは逆側の端部）が金属板２４に接している。コンタクト部２８は、例えばオンボードコンタクトと呼ばれる接続端子部品である。
本例では、グラウンド接続端子２７は例えばバネ端子とされ、金属板２４に近付く方向への付勢力を有している。これにより、金属板２４との電気的接続の確実性が増す。ここで、グラウンド接続端子２７は金属板２４に接するのみで固着はされていない。
【００５６】
上記のように凸部１５ａとしての前側金属筐体部１１の一部に接する金属板２４に対し、グラウンド接続端子２７を電気的に接続する構成とされたことで、金属板２４を介した容量結合により、表面が絶縁処理された前側金属筐体部１１に対しアンテナ２０のグラウンド結合が行われる。
【００５７】
容量結合を実現する上では、金属板２４を省略してグラウンド接続端子２７を前側金属筐体部１１に当接させる構成を採ることも可能であるが、該構成では、要求される無線通信性能を得るにあたっての十分な結合容量を得られない虞がある。
上記のように前側金属筐体部１１に接する金属板２４を設け、金属板２４に対してグラウンド接続端子２７を電気的に接続させる構成とすることで、比較的広い面積を持つ金属板２４と前側金属筐体部１１との間で容量結合が行われ、結合容量を大きくし易くなり、アンテナ２０を用いた無線通信について通信性能の向上を図ることができる。
なお、本例においては、金属板２４とグラウンド接続端子２７とが、請求項に言う「電気結合部」に相当する。
【００５８】
金属板２４と前側金属筐体部１１との間の結合容量を増すためには、金属板２４の面積が大きくされることが望ましい。本例の場合、金属板２４の凸部１５ａとの接触面の形状は略長方形状とされ、該接触面のサイズは１０．５ｍｍ×７ｍｍ程度とされている。
【００５９】
ここで、電子機器１の筐体としては樹脂筐体を用いることも考えられ、その場合、アンテナ２０のグラウンドを筐体内側に配置された金属部材により確保し、該グラウンドを広くすることで電波強度の向上を図ることができる。
しかしながら、筐体が金属化された場合には、筐体内側のグラウンドを広くしても筐体がシールドとなって電波強度の向上を図ることが非常に困難となる。そのため、本実施形態では金属筐体の一部をグラウンドとしても共用する手法を採っている。
【００６０】
図７において、アンテナ基板２５には、コンタクト部２８よりも下方となる位置にアンテナ基板２５の厚み方向に突出された突出接続端子部２９が設けられている。突出接続端子部２９は、例えばオンボードコンタクトと呼ばれる接続端子部品であり、アンテナ基板２５における上述した電気回路とアンテナ２０とを電気的に接続するための接続端子を有している。
【００６１】
突出接続端子部２９の先端部付近には、アンテナ２５への電気配線が形成された中継部３０が位置され、中継部３０の該電気配線が突出接続端子部２９における上記した接続端子と電気的に接続されている。中継部３０は、例えばフレキシブル基板を有し、該フレキシブル基板に形成された上記電気配線がアンテナ２５と電気的に接続されている。
【００６２】
図８は、図７に示す拡大図において、絶縁性部材２１とラバー部材８とが取り付けられた状態を表している。なお、図８では、開口部１６ａにおける開口面を図中「Ｏ」で表す縦破線により模式的に示している。
【００６３】
絶縁性部材２１の凹部２１ａに取り付けられたアンテナ２０は、前後方向において、開口部１６ａの開口面よりも前側に位置されている。すなわち、アンテナ２０は、開口部１６ａを前側から覆う位置に配置されている。
ラバー部材８は、内側の面がアンテナ２０の取り付けられた絶縁性部材２１の前面と接している。
【００６４】
この際、図中「Ｘ」により表すように、凹部２１ａに取り付けられたアンテナ２０の前面とラバー部材８の内側面との間には隙間が形成されている。この隙間により、使用者の把持に伴う圧力がアンテナ２０に印加されてしまうことの防止が図られ、アンテナ２０の破損や故障の防止を図ることができる。
【００６５】
ここで、先の図４では、撮像光軸Ａｘの高さ方向における位置を「Ｈａ」と示す一点鎖線で表しているが、本例の電子機器１においては、アンテナ２０は撮像光軸Ａｘよりも下側に位置されている。
仮に、アンテナ２０を撮像光軸Ａｘよりも上側に位置させてしまうと、図９Ａに示すように、レンズ取付部３に取り付けられた交換レンズのレンズ鏡筒３１（金属鏡筒）によって、アンテナ２０から水平方向以下の方向に放出される電波（以下「下方向電波」と表記する）が反射されて遮られ易くなってしまう。
ここで、特に撮像装置としての電子機器１においては、アンテナ２０を介した無線通信の相手側機器が電子機器１よりも上側に位置されることは比較的希である。また、アンテナ２０から下方向電波は地面で反射され該反射波も通信に利用できるため、通信性能の向上を図る上では下方向電波が遮られる量を低減すべきである。
【００６６】
本例のようにアンテナ２０を撮像光軸Ａｘよりも下側に位置させることで、図９Ｂに示すようにアンテナ２０からの下方向電波がレンズ鏡筒３１により遮られる度合いの低減が図れ、通信性能の向上を図ることができる。
【００６７】
また、本例の電子機器１においては、アンテナ基板２５において、アンテナ２０との電気的な接続を行うための突出接続端子部２９が、グラウンド接続端子２７よりも下側に位置されている（図７を参照）。
これにより、アンテナ基板２５からアンテナ２０への給電線を下方側に配線する場合（特に図７に示す中継部３０における配線方向を参照）において、該給電線の長さを短くすることが可能とされ、アンテナ基板２５とアンテナ２０との間の入出力信号に外来ノイズが重畳し難くなる。
【００６８】
なお、上記では電子機器１が撮像装置である場合を例示したが、本技術の電子機器は、例えばスマートフォンやタブレット端末等としての情報処理機器や、オーディオプレイヤ等の各種プレイヤ機器、無線ＬＡＮルータ、テレビジョン受像器等の各種電子機器に好適に適用可能である。
【００６９】
また、上記では、電気結合部をアンテナのグラウンド結合に用いる場合を例示したが、電子機器が有する金属筐体部（表面が絶縁処理された金属筐体部）の少なくとも一部をアンテナとして用いる構成が採られる場合には、該アンテナとしての金属部分とアンテナ基板との間の電気的結合に本技術の電気結合部を適用することもできる。
【００７０】
＜２．実施形態のまとめ＞
上記のように実施形態としての電子機器（電子機器１）は、表面が絶縁処理され、筐体の少なくとも一部を構成する金属筐体部（前側金属筐体部１１）と、金属筐体部の内側に位置され、アンテナの給電制御を行う電気回路が形成されたアンテナ基板（アンテナ基板２５）と、金属筐体部に接する金属板（金属板２４）を有し、アンテナ基板と金属筐体部との間の電気的結合を金属板を介して容量結合により行う電気結合部（金属板２４及びグラウンド接続端子２７）とを備えている。
【００７１】
これにより、絶縁処理された金属筐体部であっても容量結合によりアンテナ基板との間の電気的結合を確保することが可能とされる。このとき、金属筐体部に接する金属板を介して容量結合を行っていることで、結合容量を大きくし易くなり、アンテナを用いた無線通信について通信性能の向上を図ることができる。
このように実施形態としての電子機器によれば、表面が絶縁処理された金属筐体部を電波放出部として共用する場合における通信性能向上を図ることができる。
【００７２】
また、実施形態としての電子機器においては、電気結合部は、アンテナ基板と金属板とを電気的に接続する接続端子（グラウンド接続端子２７）を有し、金属板は金属筐体部に固着され、接続端子はアンテナ基板に固着され金属板に非固着とされている。
【００７３】
上記のように金属板が金属筐体部に固着され、接続端子がアンテナ基板に固着され金属板に非固着とされていることで、電子機器の組み立て作業時において金属板が固着された状態のアンテナ基板をハンドリングする必要がなくなり、アンテナ基板の取り付けが容易化し、電子機器の組み立て作業効率の向上を図ることができる。
【００７４】
さらに、実施形態としての電子機器においては、接続端子は、金属板に近付く方向への付勢力を有している。
【００７５】
これにより、アンテナ基板側と金属板側との電気的接続の確実性が増され、接続不良により通信性能が悪化してしまうことの防止を図ることができる。
【００７６】
さらにまた、実施形態としての電子機器においては、アンテナ基板と電気的に接続されたアンテナ（アンテナ２０）を備え、電気結合部は、金属板を介した容量結合によりアンテナのグラウンド結合を行っている。
【００７７】
これにより、金属筐体部をアンテナのグラウンドとして使用可能となり、広いグランドを確保することが可能とされる。
従って、アンテナを介した無線通信について通信性能の向上を図ることができる。
【００７８】
また、実施形態としての電子機器においては、撮像装置としての電子機器とされ、金属筐体部は、シャッターボタンが配置され使用者の手によって把持されるグリップ部の内部フレームを構成するグリップフレーム部（グリップフレーム部１５）を有し、アンテナ基板と電気結合部がグリップフレーム部の内側に位置されている。
【００７９】
上記のようなグリップフレーム部の内側空間は比較的広く、アンテナ基板や電気結合部の配置自由度が高い。
従って、これらアンテナ基板や電気結合部の配置を含めた機器設計の自由度向上を図ることができる。
【００８０】
さらに、実施形態としての電子機器においては、グリップフレーム部は、撮像方向側（前側）の端部が撮像方向側に突出された凸部（凸部１５ａ）として形成されており、アンテナ基板は、グリップフレーム部における凸部の内側に位置されている。
【００８１】
撮像装置においては、撮像画像についての各種画像処理や機器の全体制御を行うための電気回路を有するメイン基板が、筐体内において撮像方向とは逆側の端部付近に位置されるのが一般的とされる（撮像素子が筐体内において撮像方向とは逆側の端部付近に位置されることが一般的であるため）。上記のようにアンテナ基板をグリップフレーム部における撮像方向側に突出された凸部の内側に位置させることで、少なくとも撮像方向に平行な方向において、アンテナ基板はメイン基板から離隔される。
従って、メイン基板からのノイズ混入の抑制が図られ、アンテナを介した無線通信について通信性能の向上を図ることができる。
【００８２】
さらにまた、実施形態としての電子機器においては、撮像装置としての電子機器とされ、アンテナが撮像光軸よりも下側に位置されている。
【００８３】
これにより、アンテナからの水平方向以下の方向に放出される電波がレンズ鏡筒（金属鏡筒）によって反射される度合いが低減される。
従って、無線通信の通信性能向上を図ることができる。
【００８４】
また、実施形態としての電子機器においては、アンテナ基板において、アンテナとの電気的な接続を行う接続端子（突出接続端子部２９）が、金属板との電気的な接続を行う接続端子（グラウンド接続端子２７）よりも下側に位置されている。
【００８５】
これにより、アンテナ基板からアンテナへの給電線を下方側に配線する場合において、該給電線の長さを短くすることが可能とされる。
従って、アンテナ基板とアンテナとの間の入出力信号に外来ノイズが重畳し難くなるようにすることができ、通信性能の向上を図ることができる。
【００８６】
さらに、実施形態としての電子機器においては、金属筐体部には、金属筐体部の内側空間と外側空間とを連通する開口部（開口部１６ａ）が形成され、アンテナは、金属筐体部の外側から開口部を覆う位置に配置されている。
【００８７】
これにより、アンテナの背後に金属筐体部が非形成とされた部分が設けられ、アンテナが金属筐体部（アンテナのグラウンド）から受ける電気的な影響が低減される。
従って、通信性能の向上を図ることができる。
【００８８】
さらにまた、実施形態としての電子機器においては、アンテナは、開口部を金属筐体部の外側から覆い金属筐体部により支持された絶縁性部材（絶縁性部材２１）に対して取り付けられている。
【００８９】
これにより、アンテナを金属筐体部の外側から開口部を覆う位置に固定させるにあたり、アンテナと金属筐体部とが直接的に接することの防止が図られる。
従って、アンテナが金属筐体部から受ける電気的な影響が低減され、通信性能の向上を図ることができる。
【００９０】
また、実施形態としての電子機器においては、アンテナ基板は、基板厚み方向に突出された突出接続端子部（突出接続端子部２９）を有し、突出接続端子部を介してアンテナへの給電が行われている。
【００９１】
これにより、アンテナ基板の金属筐体部内側における配置位置にとらわれず、アンテナを金属筐体部で覆われない位置に配置させ易くなる。
従って、アンテナ基板の配置位置を含めた機器設計の自由度向上を図ることができる。
【００９２】
なお、本明細書に記載された効果はあくまでも例示であって限定されるものではなく、また他の効果があってもよい。
【００９３】
＜３．本技術＞
なお本技術は以下のような構成も採ることができる。
（１）
表面が絶縁処理され、筐体の少なくとも一部を構成する金属筐体部と、
前記金属筐体部の内側に位置され、アンテナの給電制御を行う電気回路が形成されたアンテナ基板と、
前記金属筐体部に接する金属板を有し、前記アンテナ基板と前記金属筐体部との間の電気的結合を前記金属板を介して容量結合により行う電気結合部と、を備える
電子機器。
（２）
前記電気結合部は、
前記アンテナ基板と前記金属板とを電気的に接続する接続端子を有し、
前記金属板は前記金属筐体部に固着され、前記接続端子は前記アンテナ基板に固着され前記金属板に非固着とされている
前記（１）に記載の電子機器。
（３）
前記接続端子は、前記金属板に近付く方向への付勢力を有している
前記（２）に記載の電子機器。
（４）
前記アンテナ基板と電気的に接続されたアンテナを備え、
前記電気結合部は、
前記金属板を介した容量結合により前記アンテナのグラウンド結合を行う
前記（１）乃至（３）の何れかに記載の電子機器。
（５）
撮像装置としての電子機器とされ、
前記金属筐体部は、
シャッターボタンが配置され使用者の手によって把持されるグリップ部の内部フレームを構成するグリップフレーム部を有し、
前記アンテナ基板と前記電気結合部が前記グリップフレーム部の内側に位置されている
前記（１）乃至（４）の何れかに記載の電子機器。
（６）
前記グリップフレーム部は、
撮像方向側の端部が撮像方向側に突出された凸部として形成されており、
前記アンテナ基板は、
前記グリップフレーム部における前記凸部の内側に位置されている
前記（５）に記載の電子機器。
（７）
撮像装置としての電子機器とされ、
前記アンテナが撮像光軸よりも下側に位置されている
前記（４）に記載の電子機器。
（８）
前記アンテナ基板において、
前記アンテナとの電気的な接続を行う接続端子が、前記金属板との電気的な接続を行う接続端子よりも下側に位置されている
前記（４）又は（７）に記載の電子機器。
（９）
前記金属筐体部には、
前記金属筐体部の内側空間と外側空間とを連通する開口部が形成され、
前記アンテナは、
前記金属筐体部の外側から前記開口部を覆う位置に配置されている
前記（４）又は（７）又は（８）に記載の電子機器。
（１０）
前記アンテナは、
前記開口部を前記金属筐体部の外側から覆い前記金属筐体部により支持された絶縁性部材に対して取り付けられている
前記（９）に記載の電子機器。
（１１）
前記アンテナ基板は、
基板厚み方向に突出された突出接続端子部を有し、
前記突出接続端子部を介して前記アンテナへの給電が行われる
前記（４）、又は（７）乃至（１０）の何れかに記載の電子機器。
【符号の説明】
【００９４】
１  電子機器、２  撮像素子、３  レンズ取付部、４  光学開口、５  グリップ部、６  突出部、６ａ  指掛け部、７  シャッターボタン、８  ラバー部材、１１  前側金属筐体部、１５  グリップフレーム部、１５ａ  凸部、１６  切欠部、１６ａ  開口部、２０  アンテナ、２１  絶縁性部材、２２  メイン基板、２４  金属板、２５  アンテナ基板、２６  通信ケーブル、２７  グラウンド接続端子、２８  コンタクト部、２９  突出接続端子部
【図１】
2018116599.tif 000003
【図２】
2018116599.tif 000004
【図３】
2018116599.tif 000005
【図４】
2018116599.tif 000006
【図５】
2018116599.tif 000007
【図６】
2018116599.tif 000008
【図７】
2018116599.tif 000009
【図８】
2018116599.tif 000010
【図９】
2018116599.tif 000011
【国際調査報告】
2018116599.tif 000012
2018116599.tif 000013
2018116599.tif 000014
2018116599.tif 000015